(57)【要約】      （修正有）【課題】作家を専門としない個人でも出版と販売が簡易に行なえて電子書籍出版文化を促進すること。【解決手段】ウェブ上の個人出版電子書籍デジタルマーケット運営者３０が運営する個人出版電子書籍デジタルマーケット２００へ著作者は電子文章ファイルと作品プロファイルを送付する。運営者３０が受け取った電子文章ファイルへISBN番号を付与し、情報処理端末にて合成した前記電子文章ファイルを配信用の電子書籍として著作物貯蓄・配信サーバー１００へ蓄積し、作品紹介をマーケット２００に登録する。同時に運営者３０は、著作者を支援してくれる支援者６０を広告活動や同サイトにて募集により出版支援の仲介として公募する。購読が決定した著作物はそのISBN番号を基準に、著作権IDカウント計数機50にてダウンロードされた電子書籍のＩＳＢＮ番号の数をカウントし、課金・配分サーバー40にて報酬を算出し所定の配分率を著作者へ分配する。【選択図】図１
2005258841.tif 000002
【特許請求の範囲】
【請求項１】
電子書籍のウェブ出版に於いて、一般公募にて不特定多数の者から出版権が既存出版社に帰属していない個人著作物として電子書籍となる電子文章ファイルを、出版する目的で著作物の電子化、電子配信、販売、広告、出版を業とする第三者機関たるデジタルマーケット運営者といった情報仲介業者（以下、デジタルマーケット運営者と称す）へ電子送信または郵送にて送付してもらう工程と；郵送された原稿をデジタルマーケット運営者が、電子書籍、電子本の出版や販売をインターネット上で行う電子書籍デジタルマーケット（以下、デジタルマーケットと称す）に於いての出版や販売目的でその原稿を電子書籍配信用に情報処理にてデジタル化する工程と；前記電子文章ファイルにデジタルマーケット運営者が電子書籍合成装置にてISBN番号を付与してインターネット配信用に情報処理加工を行い、そのISBN番号をもって該当電子書籍のインターネット配信に係る著作権管理を制御する工程と；前記ISBN付与済みの個人出版の電子書籍をネットワーク経由にて配信又は情報処理による媒体化したCD-ROMや書籍などの有形媒体にて利用者へ郵送する工程と；前記ISBN番号付与済み電子書籍をＣＤ−ＲＯＭなどの媒体に作成し通常図書として一般流通させる工程と；電子書籍配信サーバーと利用者の情報端末装置とを通信回線又は無線により接続し、利用者自身のＩＤ番号を入力して前記サーバーに配信加工用に蓄積された電子書籍リストを閲覧して所望の電子書籍を利用者が著作権IDカウント計数機経由による制御にてダウンロードする工程と；利用者にダウンロードされた電子書籍のISBN番号の総数とダウンロードした利用者ID総数との統計を著作権IDカウント計数機経由にて情報処理より照らし合わして制御し、配信済み著作権数を管理する工程と；備えることを特徴とする個人電子書籍ウェブ出版システム。
【請求項２】
電子書籍となる電子文章ファイルを、出版する目的で著作物の電子化、電子配信、販売、広告、出版を業とする第三者機関たるデジタルマーケット運営者といった情報仲介業者（以下、デジタルマーケット運営者と称す）が、インターネット経由や前記デジタルマーケット運営者の広告活動にて一般公募した企業又は個人投資家（以下、支援者と称す）と電子書籍の著作者とを、企業広告掲載や著作物作成依頼、又は著作物に係る権利の購入などに関する両者の要望を制御し、運営サイト上にて出会いの場を提供する仲介工程と；前記目的で応募してきた著作者に属する電子書籍たる著作物を、同運営サイト上にて支援者募集の広告を行う工程と；企業広告掲載などの趣旨でバナーやデジタル文字による支援者の利益となる情報を電子書籍合成装置によって電子書籍に挿入する加工処理工程と；前記工程における支援者が著作物に対して複数いる場合も同運営サイト上における配分にて第三者利益記載付き電子書籍の加工処理を仲介する工程と；前記第三者利益記載付き電子書籍を前記デジタルマーケットやネットワークにて配信制御する工程と；自己の著作物頁に第三者利益となる文言や作品を掲載する場を、インターネットを経由して仲介する方法を提供する工程と；利用者が電子書籍合成装置によって企業広告掲載などの趣旨でバナーやデジタル文字による第三者の利益となる記載を挿入された電子書籍を前記デジタルマーケット経由にて購読工程を経て利用端末にダウンロードする工程と；電子書籍合成装置によって企業広告掲載などの趣旨でバナーやデジタル文字による第三者の利益となる記載を挿入された電子書籍を利用者がその広告付き画像をプリントアウトする旨を制御する工程と；前記工程に係る電子書籍の出版支援の仲介を実現させる前記デジタルマーケットを管理運営する工程と；前記第三者利益記載付き電子書籍を請求項１のいずれか１項に記載の方法により配信する工程と；前記第三者利益記載付き電子書籍の配信利益を関係者により所定の配分にて分配を制御する工程と；を備えることを特徴とする個人電子書籍ウェブ出版システム。
【請求項３】
一般公募にて不特定多数の者から送付された電子文章ファイルにスペースを設けて第三者の広告を挿入し第三者広告付き電子文章ファイルとして広告主に代わり宣伝配信する請求項２のいずれか１項に記載の方法による広告代理業務を、情報処理により制御する工程と；インターネットを通じて著作者へ配布する目的で前記デジタルマーケットや出版社等の第三者機関が、企業の広告用バナーや企業広告アイデアをインターネット端末を用いて企業より公募、収集するし情報記憶装置に蓄積する工程と；前記デジタルマーケットや出版社等の第三者機関がインターネットを通じて公募や収集した情報処理された企業広告用のバナーや企業広告アイデアを、個人著作者が電子書籍の出版を主とした自己の著作物に付与する目的でその著作者へインターネット経由にて配布する工程と；前記工程における企業広告バナーの個人著作者への配信方法を前記デジタルマーケットや出版社等の第三者機関が総括して制御する工程と；前記第三者広告付き電子文章ファイルを請求項１のいずれか１項に記載の手段を利用したワンネットワークによる個人電子書籍ウェブ出版システムを実現させる工程と；前記第三者広告付き電子書籍を請求項２のいずれか１項に記載の工程にて配信利益を関係者にて配分する工程と；電子書籍のウェブ出版に於いて、前記第三者の利益となる記載を挿入された第三者広告付き電子文章ファイルを、ウェブ画面上ではなく情報端末の命令によりプリントアウト処理した時に前記記載が当該電子書籍の各頁へ不可分のものとして印刷処理される事を目的とした手段である工程と；を備えることを特徴とする電子書籍配信方法。
【請求項４】
電子書籍となる電子文章ファイルを、出版する目的で著作物の電子化、電子配信、販売、広告、出版を業とする第三者機関たるデジタルマーケット運営者といった情報仲介業者（以下、デジタルマーケット運営者と称す）が運営するデジタルマーケット運営者が、インターネットを介して出版権が出版社に帰属していない個人著作物にデジタルマーケット運営者が電子書籍合成装置にてISBN番号を付与してインターネット配信用に情報処理加工を行う工程と；前記著作物を情報処理端末により電子書籍として配信用加工処理を行い出版目的でネット配信を制御する工程と；前記工程にてISBN番号では管理できない場合、つまり逐次刊行物たる電子書籍の場合にはISSN（国際標準逐次刊行物番号）番号を用いて前記工程を処理する工程と；前記電子書籍の著作者が必ずしも前記工程を望まない場合にはマーケット管理者発行の代替による管理番号にて前記工程を制御する工程と；購読が決定された前記電子書籍作品を利用者へ電子配信する前に、情報処理端末を用いてその電子書籍の表紙などへ著作権二次利用を防止する目的で、利用者のデジタルマーケットIDなどの利用者ＩＤ情報を挿入加工処理する工程と；を備えることを特徴とする電子書籍配信方法。
【請求項５】
個人著作者や出版関係者の手間を省く目的で出版権が出版社に帰属していない個人著作物を請求項１から請求項４記載に係る一部並びに一連のインターネット書籍出版に係る情報処理を、インターネット上のデジタルマーケットや出版社等の第三者機関が情報処理端末を用いて、ウェブ上で制御する事により実現する工程、を備えることを特徴とする個人電子書籍ウェブ出版システム。
【発明の詳細な説明】
【技術分野】
【０００１】
本発明は、出版経験を持たない個人でもその著作物たる電子書籍の出版工程を簡易化してくれるインターネット上の電子書籍出版デジタルマーケットを提供し、インターネットを通じて電子書籍出版機関がISBN番号を付与する事で一般の書籍と同等の地位をもたせ、CD化した時にも一般書籍同様の流通性を確保し、同時にそのISBN番号を基準にネットワークを通じて電子配信に付随する個人著作の電子著作権をデジタルマーケット内にて第三者が管理し、並びに出版資金に余裕を持たない一般著作者とその優れた作品を自己の利益と共に支援したいという支援者や企業でその著作物に広告掲載を依頼したい意図等を仲介する事で、電子書籍というデジタル特徴を活かした個人の電子書籍出版の場を提供し、尚且つ出版行為を簡易にする工程を主としたワンネットワークによる個人電子書籍ウェブ出版システム並びに電子書籍配信方法、に関する。
【背景技術】
【０００２】
インターネットを利用して書籍のデジタルコンテンツを配信するビジネスが行われている。主として著名作家が著した出版権が出版社に帰属している紙媒体で発表済みの作品を電子加工した電子書籍（EBOOK）として販売されている。
【０００３】
しかし、インターネットを通じて個人の自費出版を代行するビジネスや従来の有形図書の自己出版や自費出版によれば、出版社や印刷所経由による慣習と支配力から自己の著作権における自由な利益を有効に享受できないという点や、往々として高額且つ時間的手間がかかり一般個人にとって電子書籍の個人出版文化の促進を満たしているとは云い難い現状が存する。
【０００４】
発明に於いては、特許公開２００２−０１５１８０や特許公開２００３−０５０８４１という、個人の自費出版に関するものがあるが、これらは有形図書としての自費出版を対象としている。そして個人にとってISBN番号の付与により世界的検索管理の下に著作物の認知度が国際的に広まる事、またISBN番号の付与済みの電子書籍をCDなど媒体化する事で一般流通可能という事実も周知であるとも云い難い。
【０００５】
特許公開２００２−００７７４０の発明はインターネットを利用した著作物の制作販売方法であり、特許公開２００３−３１６９６４は著作物流通法及びそのシステムである。これらの発明は有形図書の自費出版を対象にはしていないが、電子書籍に限ればISBN番号という書籍の本質や性質に触れていない点においても、単なる原稿の入稿、宣伝広告、流通等出版に関する一連の手続きを行い、自主出版を安価かつ容易に行うことができるインターネットを利用した著作物の制作販売方法やインターネットを利用して著作物を提供する方法という視点からの発明であり、ネットワーク世界におけるデジタルコンテンツ配信に係る著作権管理、配信管理には触れておらず、書籍としての電子書籍出版の特徴を有効に活用していない点や出版にかかる全費用は著作者による点などでは有形図書としての自費出版を対象とした前記発明と同様に著作者が負担するといった点で本発明とは根本を異にする。
【０００６】
また、個人作家の中には著作権料や版代などから開放される為に自己出版電子書籍を個人ホームページ等にて配信することは出来ても、その後の発展において人的ネットワークを形成することや資金調達を行う事は容易ではなく、小額決済や代金回収の面でも個人ホームページでは限界がある。つまり個人に於いて、自己出版という行為は、著作権の管理や印税に関する配分率、また出版業界において後援者と出会う事などは敷居が高く敬遠されがちである。
【０００７】
また、第三者広告掲載の方法や手段に於いて、ウェブ上における広告バナー掲載による広告利益の還元やブラウザー上にある著作物に対して広告掲載方法を提供しその著作者へ広告利益を還元するものや、特許公開２００２−０９２４８４の著作料回収目的による広告表示などがあるが、本発明における電子書籍配信方法では、広告などの第三者利益文言を個人が作成した電子文章ファイルに一体化したファイル形式で流通される広告方法であり、ブラウザー上のみに存続するものではなく、有形出版化した時やプリントアウトした時にも不可分のものとして存続する点を特徴としている点で根本を異にする。
【０００８】
以上の点から、個人による電子書籍の出版と言う文化を本発明における技術をもって簡易に促進してくれるワンネットワークシステムが存在しておらず、作家を専門としていない一般の個人にとっては多くの場合出版をあきらめなければならないのが現状であり、同時に作家としての実力がある個人の為の安価な出版手段が無く、出版行為がISBNコード登録や著作管理など特殊な手段を通じて行なう特別な事、と勘違いしている状況の中でその実力に気付く事無く埋もれている。
【特許文献１】特許公開２００２−０１５１８０号公報
【特許文献２】特許公開２００３−０５０８４１号公報
【特許文献３】特許公開２００２−００７７４０号公報
【特許文献４】特許公開２００３−３１６９６４号公報
【特許文献５】特許公開２００２−０９２４８４号公報
【発明の開示】
【発明が解決しようとする課題】
【０００９】
本発明は、上述した欠点に鑑みてなされたものであり、その目的は、第一に無秩序なインターネット世界におけるデジタルコンテンツの配信という場において、日本図書コード管理センターの管理下におかれることが少ない個人による電子書籍にISBN番号を主としたID付与により第三者機関たるマーケット運営者が著作権の配信管理を行うもの、第二にそのISBN番号を主としたID付与により個人による電子書籍のインターネット世界での流通をネットワークを通じて管理し、課金に対して得られる著作物の電子配信に付随する著作権料を配分する事、第三に電子書籍へのISBN番号の付与により、無名の執筆者へも電子書籍執筆者としての有形一般書籍執筆者同等の地位を与える事で一般図書同様に一般流通させる手段と事実を提供する事、第四に電子書籍という特性を利用して、購読者へ配信する前に、その特定物に利用者たる購読者の特定IDを組み合わせて配信する事により転売や転送といった著作権の二次利用を防止する事、第五に支援者という形で第三者の広告掲載との手段を用いて、一般利用者の購読料金をその広告主に肩代わりしてもらう事でもう一人の第三者たるこの一般利用者が利益を享受できるといった利益還元を意図とする著作者と広告主第三者との関係を仲介する方法、並びにその著作者を広告掲載依頼ではない、後援者やスポンサーとなる人からの資金や人的な支援の機会を与える出会いの場を提供する事により人的利益をも享受できる事、などを本発明であるワンネットワークによる個人電子書籍ウェブ出版システム並びに電子書籍配信方法の提供により、電子配信の著作権管理と個人に係る出版行為の金銭負担や作業負担を軽減させることを目的とする事で、出版と言う敷居の高いイメージを払拭させ、多くの国民に自己出版を普及させ国民文化の向上を目指す事にある。
【課題を解決するための手段】
【００１０】
請求項１に係る個人電子書籍ウェブ出版システムは、電子書籍のウェブ出版に於いて、一般公募にて不特定多数の者から出版権が既存出版社に帰属していない個人著作物として電子書籍となる電子文章ファイルを、出版する目的で著作物の電子化、電子配信、販売、広告、出版を業とする第三者機関たるデジタルマーケット運営者といった情報仲介業者（以下、デジタルマーケット運営者と称す）へ電子送信または郵送にて送付してもらう工程と；郵送された原稿をデジタルマーケット運営者が、電子書籍、電子本の出版や販売をインターネット上で行う電子書籍デジタルマーケット（以下、デジタルマーケットと称す）に於いての出版や販売目的でその原稿を電子書籍配信用に情報処理にてデジタル化する工程と；前記電子文章ファイルにデジタルマーケット運営者が電子書籍合成装置にてISBN番号を付与してインターネット配信用に情報処理加工を行い、そのISBN番号をもって該当電子書籍のインターネット配信に係る著作権管理を制御する工程と；前記ISBN付与済みの個人出版の電子書籍をネットワーク経由にて配信又は情報処理による媒体化したCD-ROMや書籍などの有形媒体にて利用者へ郵送する工程と；前記ISBN番号付与済み電子書籍をCD-ROMなどの媒体に作成し通常図書として一般流通させる工程と；電子書籍配信サーバーと利用者の情報端末装置とを通信回線又は無線により接続し、利用者自身のＩＤ番号を入力して前記サーバーに配信加工用に蓄積された電子書籍リストを閲覧して所望の電子書籍を利用者が著作権IDカウント計数機経由による制御にてダウンロードする工程と；利用者にダウンロードされた電子書籍のISBN番号の総数とダウンロードした利用者ID総数との統計を著作権IDカウント計数機経由にて情報処理より照らし合わして制御し、配信済み著作権数を管理する工程とを備え、ここでいう電子書籍とは頒布を目的として著作物またはその他の情報を書籍・雑誌・新聞またはこれらに類似する形態に固定したもので、写真・デザイン集また逐次刊行物や情報といった物を含むテキストを主体とする言語的電子書籍と、動画、静止画、音声等によって構成される映像的電子書籍といった電子書籍と一般に認識される電子文章ファイルの事を指す個人電子書籍ウェブ出版システムを用いた手段を備える。
【００１１】
請求項２に係る個人電子書籍ウェブ出版システムは、電子書籍となる電子文章ファイルを、出版する目的で著作物の電子化、電子配信、販売、広告、出版を業とする第三者機関たるデジタルマーケット運営者といった情報仲介業者（以下、デジタルマーケット運営者と称す）が、インターネット経由や前記デジタルマーケット運営者の広告活動にて一般公募した企業又は個人投資家（以下、支援者と称す）と電子書籍の著作者とを、企業広告掲載や著作物作成依頼、又は著作物に係る権利の購入などに関する両者の要望を制御し、同運営サイト上にて出会いの場を提供する仲介工程と；前記目的で応募してきた著作者に属する電子書籍たる著作物を、同運営サイト上にて支援者募集の広告を行う工程と；企業広告掲載などの趣旨でバナーやデジタル文字による支援者の利益となる情報を電子書籍合成装置によって電子書籍に挿入する加工処理工程と；前記工程における支援者が著作物に対して複数いる場合も同運営サイト上における配分にて第三者利益記載付き電子書籍の加工処理を仲介する工程と；前記第三者利益記載付き電子書籍を前記デジタルマーケットやネットワークにて配信制御する工程と；自己の著作物頁に第三者利益となる文言や作品を掲載する場を、インターネットを経由して仲介する方法を提供する工程と；利用者が電子書籍合成装置によって企業広告掲載などの趣旨でバナーやデジタル文字による第三者の利益となる記載を挿入された電子書籍を前記デジタルマーケット経由にて購読工程を経て利用端末にダウンロードする工程と；電子書籍合成装置によって企業広告掲載などの趣旨でバナーやデジタル文字による第三者の利益となる記載を挿入された電子書籍を利用者がその広告付き画像をプリントアウトする旨を制御する工程と；前記工程に係る電子書籍の出版支援の仲介を実現させる前記デジタルマーケットを管理運営する工程と；前記第三者利益記載付き電子書籍を請求項１のいずれか１項に記載の方法により配信する工程と；前記第三者利益記載付き電子書籍の配信利益を関係者により所定の配分にて分配を制御する工程と；を備え、前記第三者利益記載付き電子書籍とは、企業や一般個人たる第三者がその者の利益となる広告などの文言や図を使用した広告表示がある電子書籍の事を指す個人電子書籍ウェブ出版システムを用いた手段を備える。
【００１２】
請求項３に係る電子書籍配信方法は、一般公募にて不特定多数の者から送付された電子文章ファイルにスペースを設けて第三者の広告を挿入し第三者広告付き電子文章ファイルとして広告主に代わり宣伝配信する請求項２のいずれか１項に記載の方法による広告代理業務を、情報処理により制御する工程と；インターネットを通じて著作者へ配布する目的で前記デジタルマーケットや出版社等の第三者機関が、企業の広告用バナーや企業広告アイデアをインターネット端末を用いて企業より公募、収集するし情報記憶装置に蓄積する工程と；前記デジタルマーケットや出版社等の第三者機関がインターネットを通じて公募や収集した情報処理された企業広告用のバナーや企業広告アイデアを、個人著作者が電子書籍の出版を主とした自己の著作物に付与する目的でその著作者へインターネット経由にて配布する工程と；前記工程における企業広告バナーの個人著作者への配信方法を前記デジタルマーケットや出版社等の第三者機関が総括して制御する工程と；前記第三者広告付き電子文章ファイルを請求項１のいずれか１項に記載の手段を利用したワンネットワークによる個人電子書籍ウェブ出版システムを実現させる工程と；前記第三者広告付き電子書籍を請求項２のいずれか１項に記載の工程にて配信利益を関係者にて配分する工程と；電子書籍のウェブ出版に於いて、前記第三者の利益となる記載を挿入された第三者広告付き電子文章ファイルを、ウェブ画面上ではなく情報端末の命令によりプリントアウト処理した時に前記記載が当該電子書籍の各頁へ不可分のものとして印刷処理される事を目的とした手段である工程とを備える。
【００１３】
請求項４に係る電子書籍配信方法は、電子書籍となる電子文章ファイルを、出版する目的で著作物の電子化、電子配信、販売、広告、出版を業とする第三者機関たるデジタルマーケット運営者といった情報仲介業者（以下、デジタルマーケット運営者と称す）が運営するデジタルマーケット運営者が、インターネットを介して出版権が出版社に帰属していない個人著作物にデジタルマーケット運営者が電子書籍合成装置にてISBN番号を付与してインターネット配信用に情報処理加工を行う工程と；前記著作物を情報処理端末により電子書籍として配信用加工処理を行い出版目的でネット配信を制御する工程と；前記工程にてISBN番号では管理できない場合、つまり逐次刊行物たる電子書籍の場合にはISSN（国際標準逐次刊行物番号）番号を用いて前記工程を処理する工程と；前記電子書籍の著作者が必ずしも前記工程を望まない場合にはマーケット管理者発行の代替による管理番号にて前記工程を制御する工程と；購読が決定された前記電子書籍作品を利用者へ電子配信する前に、情報処理端末を用いてその電子書籍の表紙などへ著作権二次利用を防止する目的で、利用者のデジタルマーケットIDなどの利用者ＩＤ情報を挿入加工処理する工程と；を備える。
【００１４】
請求項５に係る個人電子書籍ウェブ出版システムは、個人著作者や出版関係者の手間を省く目的で出版権が出版社に帰属していない個人著作物を請求項１から請求項４記載に係る一部並びに一連のインターネット書籍出版に係る情報処理を、インターネット上のデジタルマーケットや出版社等の第三者機関が情報処理端末を用いて、ウェブ上で制御する事により実現する工程、を備える。
【発明の効果】
【００１５】
本発明によれば著作物の個人出版を目的としながらもその環境に欠けており出版ノウハウや組織力に縁遠い個人著作者や情報提供を行なう商人は、大規模な設備やネットワークを自ら用意しなくとも、文章作成アプリケーションにより作成した電子文章ファイルを本発明の電子書籍デジタルマーケットへ送付するだけで自己の有する作品の著作権を管理と著作権二次利用を防止する電子書籍配信加工を行う第三者機関の下で安価に出版販売できるという利益を享受できる。
個人作家としては出版権が既存出版社に帰属していない個人著作物として電子書籍販売デジタルマーケットの場を供給される事で、既存の出版権が出版社に帰属している有名電子書籍とは棲み分けが明確に示され、安心して自己の才能を同一の条件が集まるこの場により発揮し競争出来る。また、本発明によるデジタルマーケットも既存の出版権が出版社に帰属している有名電子書籍販売マーケットを侵害する目的の物ではない。
【００１６】
同時に、一般利用者は広告付き著作物という条件を受け入れることで、小額決済などの雑多さを回避でき、所望の電子書籍を無料にて購読できる機会を期待でき同時に、以下の二点はこのシステムを形成する上で欠けてはならないものであり、第一にISBN番号を付与された電子書籍は書籍の総目録にリストアップされるため一般書籍と同等の地位を獲得でき、デジタル流通のみならず一般書籍流通も迅速に行え、個人著作作品の国内流通基本条件たるISBN番号といった唯一無二の番号がネットワークを通じて付与される事で著作権侵害を訴える場合にも本人のみではなく仲介者と共にそのデーターソースを関係機関に簡易に提示できる点でも一役を買い、第二に作品の内容に興味を持つ企業が広告掲載を依頼した場合にはその支援者の経済的、もしくは人的援助により飛躍的に作家としての活動の場を与えられる。以上のように本発明であるワンネットワークによる個人電子書籍ウェブ出版システム並びに電子書籍配信方法を利用する事で、従来よりもスムーズ且つ安価に出版が行なえる事で著作者は作品製作に専念でき、その上個人と企業などの支援者とを合致目的の上で引き合わせる事によって個人作家の発掘と個人出版の文化が促進させ、ひいては産業の発展にもつながるワンネットワークによる個人電子書籍ウェブ出版システム並びに電子書籍配信方法である。
【発明を実施するための最良の形態】
【００１７】
以下、本発明のワンネットワークによる個人電子書籍ウェブ出版システム並びに電子書籍配信方法の実施の形態を、添付図面を参照して説明する。図１は、本発明を実施するためのワンネットワークによる個人電子書籍ウェブ出版システム並びに電子書籍配信方法を示す概略図である。図１において、個人電子書籍ウェブ出版システムは、インターネットのようなコンピュータネットワークを介して構成される。
【実施例１】
【００１８】
符号１００は著作物貯蓄・配信サーバーであり、符号２００は個人出版電子書籍デジタルマーケットである。この個人出版電子書籍デジタルマーケット２００は一般利用者が所望の作品群を閲覧できるインターネット上に存在する電子書籍販売サイトである。符号２０は情報端末装置である。情報端末装置２０は、個人や企業に設置されているPCに限らず、携帯電話や電子書籍リーダー端末などの時代に応じた電子書籍ファイルを閲覧出来る物を含む。符号３０は個人出版電子書籍デジタルマーケット運営者
であり、個人出版電子書籍デジタルマーケット２００を運営するものを指す。著作物貯蓄・配信サーバー１００と個人出版電子書籍デジタルマーケット２００はネットワークにより連動しており、一般利用者が使用する情報端末装置２０とグラフィカルユーザーインターフェースで結ぶ個人出版電子書籍デジタルマーケット２００とを通信回線又は無線のネットワークにより接続する。
【００１９】
ネットワーク経由にて不特定多数に一般公募した一般人や作家を本業とする著作者たちが創作した電子文章ファイルを電子書籍配信用に合成して配信用電子書籍としてデジタル化処理して著作物貯蓄・配信サーバー１００へ蓄積する。前記蓄積の工程を説明する。著作者は、例えばデジタル文章作成アプリケーションにて著した作品を電子メールや個人出版電子書籍デジタルマーケット設置のアップローダー等のネットワークを通じた配信により作品電子文章ファイルを個人出版電子書籍デジタルマーケット管理者３０の元へ送信する。その著作者と電子書籍のプロファイルを個人出版電子書籍デジタルマーケット２００へインターネットを通じて著作者本人か個人出版電子書籍デジタルマーケット運営者３０が登録する。著作者は作品原稿をマーケット管理者３０へ郵送やFAXで送付してもよい。マーケット管理者３０がそれらを電子書籍合成装置１０にてデジタル化処理を行なう。以上マーケット管理者３０へ送付された電子文章ファイルは配信用に加工され著作物貯蓄・配信サーバー１００へ蓄積され個人出版電子書籍デジタルマーケット２００にて登録される。符号１０は電子書籍合成装置であり、個人出版電子書籍デジタルマーケット管理者３０が著作者より送信された電子文章ファイルを配信用電子書籍へ合成したり、付与を必要とする文言等を加工する装置である。
【００２０】
符号４０は課金・配分サーバーであり著作権料、広告掲載に係る利益配分や設備運用料などを配分する費用計算系をメインとしたサーバーである。符号５０は著作権IDカウント計数機であり、個人出版電子書籍デジタルマーケット２００にて販売、そして配信される電子書籍に関する著作権の管理を行なうかウント計算機である。個人出版電子書籍デジタルマーケット管理者３０へ送信された作品は自動的または個人出版電子書籍デジタルマーケット管理者３０により電子書籍合成装置１０にてネットワーク配信用電子書籍として合成され、マーケット管理者３０の課金・配分サーバー４０と著作権IDカウント計数機５０を通じて一般利用者へネットワークを通じて販売される。
【００２１】
著作権管理を行えるＩＤとしてのＩＳＢＮ番号と著作権IDカウント計数機５０の関係を説明する。個人出版電子書籍デジタルマーケット運営者３０が国際標準図書番号であるＩSBN番号を付与し、配信用電子書籍として著作物貯蓄・配信サーバー１００に累積させ個人出版電子書籍デジタルマーケット２００において著作物のプロフィール等を記載しＩＳＢＮ番号付き電子書籍として販売用に登録する。
【００２２】
本来ISBN番号（国際標準図書番号）とは日本図書コード管理センターにおいて書籍の流通を管理するIDであるが、本発明に於いてはこのIDを本義に付随して、配信の係る著作権管理に副次的に利用する。つまり著作権IDカウント計数機５０の機能において、著作物が購読された数とダウンロードした利用者IDを検知し、販売配信を行なう個人出版電子書籍デジタルマーケット運営者３０が照らし合す事によりインターネットにおける無秩序な著作物の不要流通の阻止管理を第一次的な壁となる事を目的とする。これはインターネット経由にて配信される電子書籍であってもISBN番号を付与する事で、国際的な図書検索において一般書籍と同様の機会を与え、またCD化する事で一般流通にも迅速に対応でき、そして著作物のダウンロード数に付随するカウント数に応じた著作権料の配分を管理できる等のメリットをワンネットワークにて行なえる技術である。
【００２３】
作品の性質または著作者の希望によりISBN番号が指定されない場合は、ISSN（国際標準逐次刊行物番号）もしくは仲介マーケット専用著作作品IDといった電子書籍に対する著作権管理を行えるIDを代替する事で実現させる。
【００２４】
一般の利用者は個人出版電子書籍デジタルマーケット２００にて利用登録を情報端末装置２０にて行い利用者自身のＩＤ番号とパスワードなどを入手する。利用者は情報端末装置２０に個人出版電子書籍デジタルマーケット２００にて利用できる利用者自身のＩＤ番号とパスワードなどを入力して個人出版電子書籍デジタルマーケット２００における利用画面へ進む。かくして、利用者は、情報端末装置２０の電子書籍配信提供サービス画面を開き、著作物貯蓄・配信サーバー１００に蓄積された著作物リストを個人出版電子書籍デジタルマーケット２００経由にて登録されている電子書籍のリストを閲覧し、著作物リストから所望の電子書籍の選択を行い購読行為を行なえる。利用者は、注文に際して、通信回線を使用して情報端末装置２０に依頼した電子書籍をネットワーク経由にて配信してもらうか、利用者の自宅にＣＤ−ＲＯＭとしてか有形書籍化してかで郵送してもらうかを選択できる。
さらにこの時利用者は、所望の電子書籍が請求項２に係る第三者支援付き電子書籍６５か否かで決済方法を選択できる。
【００２５】
支援者６０と第三者支援付き電子書籍６５の役割について説明する。
符号６０は支援者であり、支援者６０とは企業や投資家などで無償もしくは見返りを目的とした支援を著作者に対して行なう者を指す。符号６５は第三者支援付き電子書籍であり、第三者支援付き電子書籍６５とは支援者６０が著作者へ何らかの支援を提供することを指す。
【００２６】
ここでいう支援者６０が行う支援とは、例えば支援を受ける事に承諾した著作者の著作作品たる電子書籍のページに、個人出版電子書籍デジタルマーケット運営者３０が、著作者の同意の下でその支援者６０用に支援者６０が希望する広告などの第三者利益文言を電子書籍合成装置１０にてスペースを設けて挿入する。その見返りとして著作者もしくは利用者は、金銭の授与や購読者の購読代金を支援者６０がダウンロードカウント数に応じて肩代わりし、著作者へ支払うなどの支援を個人出版電子書籍デジタルマーケット運営者３０経由にて行う事、もしくはプロモーション目的や単なる資金援助などの著作者及び一般利用者が、支援者６０の支援策により何らかのメリットを享受できる形態の事をいう。
【００２７】
支援者６０はネットワーク経由やのデジタルマーケット運営者３０の広告活動による募集される。募集に応じた支援者６０は、デジタルマーケット運営者３０との契約により著作物貯蓄・配信サーバー１００に蓄積された著作物リストを個人出版電子書籍デジタルマーケット２００経由にて閲覧できる。支援者６０は自己が支援したいと思う作品を精査し、支援したい作品がある時はその旨をデジタルマーケット内における告知方法で著作者とデジタルマーケット運営者３０へ通知する。
【００２８】
支援方法や実施形態などがデジタルマーケット運営者３０の音頭により三者間の同意が決まれば、その同意に基づきデジタルマーケット運営者が電子書籍合成装置１０により所定の第三者支援付き電子書籍６５を作成する。著作者の支援形態の意思決定過程詳細フローは図２を参照。
【００２９】
第三者支援付き電子書籍６５には経済人的支援付き第三者支援付き電子書籍と広告付き第三者支援付き電子書籍とがあるが、前者の経済人的支援付き第三者支援付き電子書籍とは支援方法が両者の取り決めによるものである。例えば経済的支援として著作者の電子書籍には加工を加えず、版権を買い取るといったもの、そして人的支援として著作者の力量や将来性を見込んで有力者を紹介する事等が考えられる。
【００３０】
後者の広告付き第三者支援付き電子書籍とは、支援者が支援の対象として所望した指定の電子書籍に支援者が希望する広告などの第三者利益文言を挿入された電子書籍である。広告付き第三者支援付き電子書籍に関する例は図３を参照。本発明における支援者６０の支援策はWeb上でのデジタルコンテンツに対する物ではなく、個人著作電子書籍に対する第三者広告の掲載手段を主とする。これは単なる第三者による広告配信と言った目的のものではなく、著作者への育成支援という意味が含まれているところに本来の意義がある。すなわち、ホームページ上にてバナー広告を掲載するという性格のものよりもはるかに企業からの著作者の電子書籍に対する文章内容のチェック機能が働くわけである。本発明の対象にしている作家を専門としない個人とはいわば素人も含むわけである。その素人が、第三者からの広告支援を獲得する為には自己満足による作品では通用しないことは明白であり、素人作家も自己の作家技術を高める努力を自発的に行なうわけである。
【００３１】
この点で本発明の請求項２乃至３の第三者利益記載付き電子書籍を備えることを特徴とする個人電子書籍ウェブ出版システム並びに電子書籍配信方法には、広告掲載といった営利目的ではなく、良い作品には第三者が広告掲載という形で個人の作家育成の支援を行いましょう、といったシステムをネットワーク上で形成しようとする性格が存する点を強調しておきたい。広告というよりは、この著作者の後援者は私です、と言ったマネージャー的色合いが強い、とも換言できる。
【００３２】
また請求項３における公募や収集した企業広告用のバナーや企業広告アイデアの活用事例としては、プロやアマチュアの漫画家に対して、企業が広告バナーやトレードマークデザインを提供する上で、自社の商品を紹介する広告をマンガにて作成して欲しい、といった企業広告マンガ需要も円滑に実現できる仲介技術でもある。
【００３３】
支援を望む著作者からの支援クレーム方法としては、著作者は著作物リストへ支援者募集の意思を個人出版電子書籍デジタルマーケット２００の掲示板等の情報ネットワークを通じて示すことで、支援者６０への支援アプローチ手段となる。
【００３４】
尚、経済的にも余裕があり自己の作品の権利を完全に有したい著作者に対しては、図２における最初に分岐点で支援無し、を選択すれば自己の作品にかかる権利を完全に保持できる手段も公平に提供される。
【００３５】
支援者６０の支援を承諾した著作者とデジタルマーケット運営者３０は電子書籍合成装置１０を用いて指定の電子書籍に企業の申し出による所望の文章（広告）を加工挿入し、その電子書籍を第三者支援付き電子書籍６５として電子書籍出版する。利用者は電子書籍デジタルマーケット２００経由にて前記第三者支援付き電子書籍６５を無料で購読できるといった利益を享受できる。当然に利用者は前記第三者支援付き電子書籍６５を望まない場合はそれによらない書籍を通常購読する事も出来る。
【００３６】
利用者と広告などの第三者利益文言付き電子書籍との関係ついて説明する。
ここでいう広告などの第三者利益文言付き電子書籍とは第三者支援付き電子書籍６５の支援者の支援内容を広告などの第三者利益文言と定めたものである。広告などの第三者利益文言付き電子書籍の本発明における特徴として、個人出版電子書籍デジタルマーケット運営者３０といった第三者機関の手によって仲介された前記支援者所望の広告などの第三者利益文言を著作者の作品に加工挿入するという点、そして従来の広告表示やバナー等による広告主と媒体提供者の利益を追求したシステムではなく、広告主の広告などの第三者利益文言による広告利益により購読者となる一般利用者へ無料にて広く著作物を普及させることを目的とした著作物への第三者利益文言を挿入するといった点を特徴とする。また、ブラウザー画面上にのみ展開されるのではない点も特徴である。つまり、広告などの第三者利益文言を個人が作成した電子文章ファイルに一体化したファイル形式で流通される広告方法であり、ブラウザー上のみに存続するものではなく、有形出版化した時やプリントアウトした時にも不可分のものとして存続する新しい形の個人作成ファイルを電子書籍として配信する方法である。
【００３７】
利用者は著作物貯蓄・配信サーバー１００に蓄積された著作物リストを個人出版電子書籍デジタルマーケット２００経由にて閲覧するが、所望の電子書籍が通常販売版と広告などの第三者利益文言付き電子書籍版とがある場合に広告などの第三者利益文言付き電子書籍版を選択する事により何らかのメリットを享受できる事を期待できる。例えば、広告付き著作物という条件が提示されていれば、それを受け入れることで利用者は小額決済などの雑多さを回避し所望の電子書籍を無料にて購読できるといったものがある。
【００３８】
無料か購読代金の一部が免除になるかは支援者６０と電子書籍の著作者との契約による。個人出版電子書籍デジタルマーケット運営者３０はその旨、無料か一部負担などの両者の契約内容を個人出版電子書籍デジタルマーケット２００にて個別に明記しておく必要がある。例えば所望の電子書籍が通常販売のみならず、本件第三者支援付き電子書籍６５として個人出版電子書籍デジタルマーケット２００に表示されており、第三者広告表示付き電子書籍という条件を受け入れる事により利用者の購読料金を広告を掲載した第三者が負担すると言った契約内容に同意することで購読金額を支払う事無く利用者は購読できると言ったメリットがある。
【００３９】
利用者の購読電子書籍著作権の二次利用防止方法について説明する。
購読した利用者が著作物を転売などの二次利用をしないとは限らないデジタルコンテンツ流通分野に於いて、これを阻止する技術としての請求項４記載の最終項記載の著作権二次利用防止方法を説明する。
所定の購読手続きを完了し、購読が決定された電子書籍作品を利用者へ送付する前にその電子書籍の表紙などへ利用者のデジタルマーケットIDとメールアドレス等の個人IDをデジタルマーケット運営者３０が配信前に電子書籍合成装置１０を用いて挿入加工してから配信する。ＰＤＦ形式を用いて文章を埋め込みや、アプリケーションによるパスワードロック等の制御により、利用者による編集や改ざんを防ぐ。例は図４を参照。これはその電子書籍作品を転売や転送といった著作権二次利用しようする悪意ある利用者であっても、わざわざ自己の個人情報をさらけ出してまで著作権二次利用は行なわないだろうと犯罪行為への萎縮効果を期待した技術である。著作権利用に代表される保護規定から、個人利用の範囲であるのならば、購読した電子書籍に自己の情報が個人出版電子書籍デジタルマーケット運営者３０によって挿入加工されていても不都合は無い。
【００４０】
個人出版電子書籍デジタルマーケットにおける決済方法について説明する。
利用者は個人出版電子書籍デジタルマーケット２００に表示されている購読料金とクレジットカードを代表とする決済方法により課金・配分サーバー４０を経由して支払い、所望の電子書籍をネットワーク経由や希望の郵送手段により受け取る。ネットワーク経由にて商品を受け取る場合は前記の著作権IDカウント計数機５０における方法により著作者の著作権を、ネットワークを通じて管理される。
前記工程を経て、課金・配分サーバー４０を経由にて受け取った販売金額は事前の取り決めによる配分にて著作者へマーケット管理者が利用者支払いの購読料金を所定日に入金することで取引を完了する。
【００４１】
利用者が前記第三者広告表示付き電子書籍を著作者から購読した場合の決済は、個人出版電子書籍デジタルマーケット運営者３０が個人出版電子書籍デジタルマーケット２００に設置されている課金・配分サーバー４０と著作権IDカウント計数機５０で照らし合わせた正当なる購読数量を情報処理により算出し、出版時に著作者と支援者６０の合意の上で定めた単価代金を所定日に支援者６０へ請求し、その代金を回収して著作者へ所定日に入金することにより取り引きを完了する。支援者６０の前払いでもよい。
支援者６０の著作物の購入に関しては商慣習に則った売買契約により完了する。
【図面の簡単な説明】
【００４２】
【図１】図１は、本発明によるワンネットワークによる個人電子書籍ウェブ出版システム並びに電子書籍配信方法を実施するための個人の電子書籍の出版を簡易にするワンネットワークによる個人電子書籍ウェブ出版システム並びに電子書籍配信方法を示す概略図である。（実施例１）
【図２】図２は、本発明による著作者の支援形態の意思決定過程詳細フローを示す概略図である。
【図３】図３は、本発明による広告付き第三者支援付き電子書籍、並びに表示を示す概略図である。ブラウザー画面（情報端末画面）に表示されるのみならず、プリントアウト時にも第三者利益文言（広告など）も付随表示され、電子書籍というデジタルファイル全体に文言を埋め込んでいるのが特徴である。
【図４】図４は、本発明による著作権二次利用防止方法を示す概略図である。
【符号の説明】
【００４３】
１００；著作物貯蓄・配信サーバー
２００；個人出版電子書籍デジタルマーケット
１０；電子書籍合成装置
２０；情報端末装置 （一般利用者）
３０；個人出版電子書籍デジタルマーケット運営者
４０；課金・配分サーバー
５０；著作権IDカウント計数機 
６０；支援者（スポンサーやプロモーター）
６５；第三者支援付き電子書籍
【図１】
2005258841.tif 000003
【図２】
2005258841.tif 000004
【図３】
2005258841.tif 000005
【図４】
2005258841.tif 000006